(57)【要約】      （修正有）【課題】簡易な構造であっても、外力によって生じるチルド室の変形に伴う摺動性の悪化や密閉性の低下を抑制したチルド室を有した冷蔵庫を提供する。【解決手段】貯蔵室と、貯蔵室に設置されたチルド室と、を備える冷蔵庫において、チルド室は、前面に開口部が形成された収納部１４と、開口部を開閉する蓋１６と、を有し、収納部１４の左右両側部に第１係合部（突起部）１１０が形成され、蓋１６の左右両側部に第２係合部（保持部）９３が形成され、蓋１６を背面側へ押し込むことで、第１係合部１１０と前記第２係合部９３とが互いに係合し、収納部１４に対して前記蓋１６を保持する。【選択図】図９
2018204875.tif 000002
【特許請求の範囲】
【請求項１】
貯蔵室と、前記貯蔵室に設置されたチルド室と、を備える冷蔵庫において、
前記チルド室は、前面に開口部が形成された収納部と、前記開口部を開閉する蓋と、を有し、
前記収納部の左右両側部に第１係合部が形成され、前記蓋の左右両側部に第２係合部が形成され、
前記蓋を背面側へ押し込むことで、前記第１係合部と前記第２係合部とが互いに係合し、前記収納部に対して前記蓋を保持することを特徴とする冷蔵庫。
【請求項２】
貯蔵室と、前記貯蔵室に設置されたチルド室と、を備える冷蔵庫において、
前記チルド室は、前面に開口部が形成され前後方向より左右方向が長い収納部と、前記開口部を開閉する蓋と、前記開口部の縁部と前記蓋との間をシールするシール部材と、を有する減圧貯蔵室であって、
前記収納部の左右両側部の外側に第１係合部が形成され、前記蓋の左右両側部に第２係合部が形成され、
前記蓋を水平方向の背面側へ押し込むことで、前記第１係合部と前記第２係合部とが互いに係合し、前記収納部に対して前記蓋を保持し、
さらに前記チルド室を減圧することで前記蓋が吸い寄せられることを特徴とする冷蔵庫。
【発明の詳細な説明】
【技術分野】
【０００１】
本発明は、冷蔵庫に関する。
【背景技術】
【０００２】
冷蔵庫では、乾燥した冷気が入らない密閉構造を有することで食品の乾燥を抑えるチルド室を備えたものが種々提案されている。この種の冷蔵庫では、チルド室を開閉する扉（ケース）を収納するボックス（カバー）にシール部材が設けられ、扉（ケース）をロックすることで密閉するようになっている。特に、下記特許文献１では、ケース底面に設けられた突起部と保持部とにより、簡易な構成で格納状態としたケースを保持することが開示されている。
【先行技術文献】
【特許文献】
【０００３】
【特許文献１】特開２０１４−５２０９７号公報
【発明の概要】
【発明が解決しようとする課題】
【０００４】
しかしながら、特許文献１に記載の冷蔵庫では、ロック機構をケースの左右方向の中央底面に有するため、外力（例えば、チルド室内に食材を置いたとき）による変形が大きく、ケース底面が下側に凸反りする可能性がある。その場合、ケースとロック機構が干渉することでケースの摺動性が悪くなったり、密閉度が低くなったりする。
【０００５】
本発明は、前記従来の問題を解決するものであり、簡易な構造であっても、摺動性の悪化を防ぐとともに密閉性の高いチルド室を提供することを目的とする。
【課題を解決するための手段】
【０００６】
本発明は、貯蔵室と、前記貯蔵室に設置されたチルド室と、を備える冷蔵庫において、前記チルド室は、前面に開口部が形成された収納部と、前記開口部を開閉する蓋と、を有し、前記収納部の左右両側部に第１係合部が形成され、前記蓋の左右両側部に第２係合部が形成され、前記蓋を背面側へ押し込むことで、前記第１係合部と前記第２係合部とが互いに係合し、前記収納部に対して前記蓋を保持する。
【発明の効果】
【０００７】
本発明によれば、外力によって生じる収納部の変形の影響を受けにくい左右両側部の２か所で蓋をロックできるので、簡易な構造であっても、摺動性と密閉性の高いチルド室を有した冷蔵庫を提供できる。
【図面の簡単な説明】
【０００８】
【図１】本発明を適用した実施形態の冷蔵庫を前方から見た斜視図である。
【図２】図１のＡ−Ａ線断面概念図である。
【図３】図１のＢ−Ｂ線断面図である。
【図４】チルド室を斜め前上方から見た斜視図である。
【図５】図４に示すチルド室のＣ方向矢視概念図である。
【図６】チルド室蓋に取り付けられるパッキンを示し、（ａ）は正面図、（ｂ）は平面図、（ｃ）は（ａ）のＪ−Ｊ線断面図、（ｄ）は（ａ）のＫ−Ｋ線断面図である。
【図７】図５のＤ−Ｄ線断面図である。
【図８】パッキンの変形量と反力の関係を示す図である。
【図９】ロック機構がチルド室蓋を保持した状態を右側面から見た右側面図である。
【図１０】ロック機構の一例を示す図である。
【発明を実施するための形態】
【０００９】
以下、本発明の実施形態について添付図面を参照して説明する。
【００１０】
図１は、本発明を適用した実施形態の冷蔵庫を前方から見た斜視図であり、図２は、図１のＡ−Ａ線断面概念図である。
【００１１】
図１及び図２に示すように、本実施形態の冷蔵庫１は、最上部に６℃前後の冷蔵温度帯の貯蔵室である冷蔵室２、最下部に６℃前後の冷蔵温度帯の貯蔵室である野菜室５がそれぞれ配置され、冷蔵室２と野菜室５との間には、これらの両室と断熱的に仕切られた０℃以下の冷凍温度帯（例えば、約−２０℃〜−１８℃の温度帯）の冷凍室である製氷室３ａ，急冷凍室３ｂ、および冷凍室４が、図２に示すように、それぞれ仕切り壁ｋ１，ｋ２，ｋ３により区画され配置されている。
【００１２】
冷蔵庫１は、前面に冷蔵室２、製氷室３ａ、急冷凍室３ｂ、冷凍室４および野菜室５の前面開口部を閉塞する断熱構成の扉６〜１０が設けられ、扉６〜１０を除く外周筐体部は、鋼板製の外箱１１と樹脂製の内箱との間に外気との断熱を図るウレタン発泡断熱材及び真空断熱材（図示せず）を有し構成されている。
【００１３】
冷蔵室２の前面開口部を閉塞する冷蔵室扉６（６ａ，６ｂ）は、観音開き式の両開きの扉で構成されており、一方、製氷室３ａの前面開口部を閉塞する製氷室扉７，急冷凍室３ｂの前面開口部を閉塞する急冷凍室扉８、冷凍室４の前面開口部を閉塞する冷凍室扉９、および野菜室５の前面開口部を閉塞する野菜室扉１０は、貯蔵室内の容器がともに引き出される引き出し式の扉によって構成されている。
【００１４】
冷蔵庫１には、上記冷凍および冷蔵を行うための冷凍サイクルが、圧縮機，凝縮器，キャピラリチューブおよび冷媒の気化熱を奪い冷却源となる蒸発器、そして、再び圧縮機の順に接続し構成されている。
【００１５】
この冷却源となる蒸発器は、冷凍室３，４の後方に設置され、送風ファンによって、蒸発器の冷気が、製氷室３ａ、急冷凍室３ｂ、冷凍室４に送られるとともに、冷蔵温度以下になると閉塞する開閉可能なダンパ装置を介して、冷蔵室２および野菜室５の各貯蔵室へと送られている。なお、冷気は、各貯蔵室を冷却した後に循環される冷気の循環構造を有しており、冷蔵室２、製氷室３ａ、急冷凍室３ｂ、冷凍室４および野菜室５が、温度センサを用いた制御装置による温度制御によって、所定の温度に維持されている。
【００１６】
図１のＢ−Ｂ線断面図の図３に示すように、冷蔵室扉６ａは、支軸Ｓ１を中心に回転自在に支持されており、飲み物等を入れるポケット状の半透明の樹脂成型のドア収納６ａ１が内部側に突設されるとともに、その裏面には、ねじりコイルバネの付勢力およびガイドにより揺動自在に構成された回転仕切り６ａ２が設けられている。
【００１７】
この回転仕切り６ａ２は、冷蔵室扉６ａ，６ｂの閉塞時（図１参照）には左側の冷蔵室扉６ａに沿った位置で冷蔵室扉６ａ，６ｂ間からの冷気の漏出を防止し、一方、冷蔵室扉６ａの開放時には冷蔵室扉６ａの厚み方向（二点鎖線で示す）に回動し利用者の邪魔にならにないように構成されている。
【００１８】
また、右側の冷蔵室扉６ｂは、支軸Ｓ２を中心に回動自在に支持されており、飲み物等を入れるポケット状の半透明の樹脂成型のドア収納６ｂ１が内部側に突設されている。
【００１９】
図３に示すチルド室は、チルド温度帯(例えば、約０〜２℃の温度帯)で維持される。
【００２０】
図３に示すように、冷蔵室扉６ｂを閉じた状態において、冷蔵室扉６ｂのドア収納６ｂ１とチルド室１３のチルド室蓋１６間には、所定のスペースが形成され、互いに接触しないように構成されている。そして、両開き扉の一方の扉である冷蔵室扉６ｂの幅と同じかそれよりも狭い幅の箱状でチルド室１３は構成されている。
【００２１】
図４は、チルド室１３の構成を斜め前上方から見た斜視図である。
【００２２】
チルド室１３は、上面および前面に開口部を有し扁平である奥方に長い略直方体状の外郭部材(ボックス)１４と、前方および後方に内部の貯蔵物を出し入れするために開閉する蓋部材であるチルド室蓋１６（扉）とにより形成されている。
【００２３】
外郭部材１４は、ＡＢＳ（アクリロニトリル，ブタジエン，スチレンを含む樹脂）、ＡＳ（アクリロニトリル，スチレンを含む樹脂）等を用いて樹脂成形され、左右側面壁１４ａ，１４ｂ，底面壁１４ｃ，後面壁１４ｄ（図３参照）、および前面壁１４ｅを有した上面および前面を開口した形状に形成されている。
【００２４】
図５は、図４に示すチルド室１３のＣ方向矢視概念図である。
図５に示すように、チルド室蓋１６は、正面視において略長方形状を呈し、かつ、左右方向に細長い形状を呈している。また、チルド室蓋１６には、開閉ハンドル２６が設けられている。
【００２５】
チルド室蓋１６の背面には、閉じた際に、外郭部材１４に当接する内周縁部に弾性材のパッキン１６ｐが配設されており、該パッキン１６ｐが外郭部材１４とチルド室蓋１６間のシールを行っている。
パッキン１６ｐは、その横断面が外周中央が内部側に凹むＶ字状の溝１６ｕを有して環状に成型されている。これにより、チルド室蓋１６とチルド室１３のシール性を高めることができる。なお、本実施形態では、食品周囲の酸素を低減して酸化を抑えることで、食品の鮮度低下を抑えるために、チルド室１３の内部を減圧する構造を一例として採用している。
【００２６】
パッキン１６ｐが、外郭部材１４に対してチルド室蓋１６が多少、傾いて閉じられた場合も、溝１６ｕ内に柔軟にパッキン１６ｐが弾性変形し、その偏りを吸収し外郭部材１４とチルド室蓋１６間を確実にシールすることができる。なお、パッキン１６ｐは、チルド室蓋１６に設けることなく、外郭部材１４側に設けることも可能である。
【００２７】
図４に示すように、チルド室蓋１６は、外周部１６ｔ（図５参照）が不透明なＡＢＳ等の樹脂で成型され、央部１６ｃがチルド室１３内に貯蔵された食品を視認できるように透明なＡＳ等の樹脂で成型されている。
【００２８】
また、本実施形態では、図６に示すように、パッキン１６ｐの前後方向（開閉方向）の厚みを、ロック時におけるチルド室蓋１６の変形度合いに応じて変化させること、つまりチルド室蓋１６の変形度合いの大きいところでパッキン１６ｐの厚みを薄くし、チルド室蓋１６の変形度合いの小さいところでパッキン１６ｐの厚みを厚くすることで、チルド室蓋１６と収納部の開口部との間におけるシール性を均一にできる。これにより、確実にパッキン１６ｐを外郭部材１４に対して当接して良好なシール性を確保できる。
【００２９】
また、本実施形態では、パッキン１６ｐの厚みが、取手操作部３６の左右両端に向かって増加するように形成されているので、チルド室蓋１６の変形度合いに対応させることができ、シール性をより均一にできる。
【００３０】
また、パッキン１６ｐは溝１６ｕを備えているので柔軟であり、ハンドルでロックをする際にも、凹部を完全に押しつぶさない範囲までしか押し込まないように設定することで、チルド室蓋１６をロックするときの力が過大になることはなく、軽快にロック動作を行うことができる。また、パッキン１６ｐの溝１６ｕには、ガス抜き溝１６ｐ３が形成されているので、溝１６ｕが貼り付くのを防止することができる。
【００３１】
また、図６に示すように、本実施形態におけるパッキン１６ｐの大ヒレ部１６ｐｈは、内面と外面が、後側に凹部となる曲線形状（Ｕ字の左半分の形状）となっている。このように、大ヒレ部１６ｐｈの内面（溝１６ｕ側）がＵ字形状の場合、チルド室蓋１６押し出し時に、大ヒレ部１６ｐｈの上端（開口端）部が先に対向する肉厚部に接触してから、徐々に下端（底部）側が接触していくような、変形が発生する。そして、チルド室蓋１６引き出し時は、大ヒレ部１６ｐｈが元の状態に戻ろうとする復元力が働き、大ヒレ部１６ｐｈが対向する肉厚部から離れ易くなる。その結果、再び押し出しする際にも、大ヒレ部１６ｐｈが有効に機能し、チルド室蓋１６に隙間が生じ難くなり、チルド室の密閉を確実に行うことが可能となる。
【００３２】
ここで、ヒレ部の内面が直線形状（Ｖ字の左半分の形状）の場合、ヒレ部とその対向する部分との接触面積が大きく、減圧時に全面が密着し易くなるため、チルド室蓋１６を開放した時にもヒレ部が張り付いたままとなる可能性がある。
【００３３】
また、本実施形態では、大ヒレ部１６ｐｈの外面（後側）も曲線形状とし、上端から下端まで厚さを略一定としている。仮に大ヒレ部１６ｐｈの外面が直線形状の場合、外郭部材１４の前面部１４ｐ（図７参照）と当接してしまい、凸状リブ１４ｔと当接せずに、密閉が困難になる可能性がある。また、大ヒレ部１６ｐｈの内面がＵ字形状にもかかわらず外面をＶ字形状にする（図６（ｃ）（ｄ）の点線）と、大ヒレ部１６ｐｈの厚さが不均一となり（大ヒレ部１６ｐｈの途中が薄くなり）、その部分に応力が集中して壊れやすくなる。
【００３４】
ここで、上述の通り、チルド室蓋１６押し出しと、左右両側のロック機構Ｒによってチルド室蓋１６の左右両側が外郭部材１４に対して引き込まれる一方で、パッキン１６ｐの反発力によって左右中央側のチルド室蓋１６は前方へ反る。また、樹脂製のチルド室蓋１６は成形時にも前方への反りが僅かに生じている場合がある。このように、ロック時に左右中央側のチルド室蓋１６が左右両側と比べて大きく変位することになる。そこで、本実施形態では、図６に示すように、開口端における溝１６ｕの間隔（大ヒレ部１６ｐｈの内面上端部１６ｐａと肉厚部の後側上端部１６ｐｂとの間隔）１６ｕＪを、左右中央側では大きく(図６（ｃ）)、左右両側では小さく(図６（ｄ）)している。このため、左右中央側において、押し出し時にパッキン１６ｐの肉圧部が潰れる前に、外郭部材１４の凸状リブ１４ｔとの隙間に追従して大ヒレ部１６ｐｈが変形できる領域（図９のＡの部分）を広く確保できる。その結果、引き出したときの大ヒレ部１６ｐｈの復元力を維持でき、再び押し出す場合も密閉性を維持することが可能となる。
【００３５】
なお、本実施形態では、左右中央側だけでなく、左右両側も、大ヒレ部１６ｐｈの内面上端部１６ｐａが、大ヒレ部１６ｐｈの外面下端部１６ｐｄよりも後方に位置するように構成されている。これにより、大ヒレ部１６ｐｈが外郭部材１４の凸状リブ１４ｔと接触してから変形可能な領域を大きく確保し、密閉性の向上を図っている。
【００３６】
また、本実施形態におけるパッキン１６ｐは、溝１６ｕの間隔が底部から開口部にかけて徐々に広くなるように構成しているので、押し出し時に、大ヒレ部１６ｐｈが変形して肉厚部に当接し更に肉厚部が潰れたときにも、大ヒレ部１６ｐｈを含むパッキン１６ｐ全体が矩形状に変形するため、押し出し時にも高い剛性が得られる。
【００３７】
さらに、本実施形態のパッキン１６ｐは、肉厚部後端から一方（後方）へ延びる上述の大ヒレ部１６ｐｈの他に、肉厚部前端から他方（前方）へ延びる小ヒレ部１６ｐｅを備えている。肉厚部後側の底部から上端部近傍へ向けて長く形成される大ヒレ部１６ｐｈと異なり、小ヒレ部１６ｐｅは、肉厚部前側の上部から短く形成されている。この小ヒレ部１６ｐｅは、減圧時に対向する肉厚部に密着し、小ヒレ部１６ｐｅとチルド室蓋１６の接触面に圧力が生じる。これにより、パッキン１６ｐを取り付けるチルド室蓋１６の面に隙間が生じ難くなり、減圧を確実に行い、密閉性が更に向上する。
【００３８】
ここで、外郭部材１４の凸状リブ１４ｔは、減圧時に図５のように大ヒレ部１６ｐｈの上部と当接する。このため、パッキン１６ｐには、図５で反時計回り（図６（ｃ）（ｄ）では時計回り）に回転モーメントが作用し、肉厚部前側の底部は減圧室蓋１６から遠ざかる向きに力を受ける。この点を考慮して、小ヒレ部１６ｐｅは、肉厚部前側の上部に形成し、パッキン１６ｐが回転モーメントを受けても密閉状態を維持している。
【００３９】
また、小ヒレ部１６ｐｅと対向する肉厚部には、後方へ凹む溝部１６ｐｆを形成している。このため、減圧時に小ヒレ部１６ｐｅが変形して肉厚部と接触しても、この部分が過度に出っ張ることを抑制し、密閉性向上に寄与している。
【００４０】
チルド室蓋１６の中央部１６ｃ２は、図５に示すように、その外面側が、利用者の手が入り、また、開閉ハンドル２６の取手操作部３６が占める空間を有するように、内部側に凹む形状に形成されている。
【００４１】
次に、図９、図１０を用いて、チルド室蓋１６をケース部１１にロックさせる（チルド室蓋１６を一定の位置に保持する）蓋開閉ロック機構の一例について説明する。図９はロック機構がチルド室蓋１６をケース１１に保持した状態を右側方から見た側面図である。図１０は保持部９３の一例を示す説明図である。    
まず、図９に示すように、外郭部材１４の左右両側部の外側には、上下方向に間隔を設けて２本の突起部（収納部側係合部、第１係合部）１１０が、それぞれ設けられる。さらに各突起部１１０は、外郭部材１４と一体的に成形されるか、別体のものを外郭部材１４に取り付けて構成される。尚、本実施形態では一方の側面に突起部１１０を２つ設ける例を説明するが、３つ以上設けてもよい。
【００４２】
一方、チルド室蓋１６の左右両側部には保持部（蓋側係合部、第２係合部）９３が設けられており、この保持部９３は、外郭部材１４の左右両側面の外側を背面側へ向かって延びるように位置している。ここで、保持部９３は、保持部９３をチルド室蓋１６に固定するための固定部と、この固定部からチルド室蓋１６の出し入れ方向（チルド室１３の前後方向）に延びる２つのバネ部９０を含む。本実施形態では各保持部９３のバネ部９０を板バネで構成したが、各バネ部９０は樹脂製でもよいし、金属製でもよい。
【００４３】
そして、チルド室蓋１６が格納状態にされると、各バネ部９０は突起部１１０に押されて変形し、突起部１１０を挟むように押さえる。２つのバネ部９０が突起部１１０を挟むので、２つの突起部１１０の間隔よりもバネ部９０の間隔の方が広い。   
各バネ部９０は、突起部１１０と接する第１傾斜部９１を有する。この第１傾斜部９１は、各バネ部９０の正面側を途中で内側（２つのバネ部９０の間の方向）に折り曲げて形成してもよいし、板バネに樹脂等の部材を貼り付けることにより、各バネ部９０に別途取り付けてもよい。
【００４４】
そして、チルド室蓋１６を格納状態としたとき、図１０に示すように、保持部９３は各バネ部９０の第１傾斜部９１と突起部１１０が接する位置となるよう、構成されている。具体的には、チルド室蓋１６が格納状態にされると、保持部９３の各バネ部９０は、突起部１１０に押されて変形し、突起部１１０を押さえることになる。
【００４５】
ここで、第１傾斜部９１は、側方からみて、チルド室蓋１６（チルド室１３）の正面側ほど、向かい合うバネ部９０の第１傾斜部９１の間隔が徐々に広くなるように傾斜している。このような第１傾斜部９１を有することで、チルド室蓋１６を背面側へ押し込むほど、バネ部９０が突起部１１０を押さえる力（バネ部９０の弾性により元に戻ろうとする力）は弱くなる。一方、突起部１１０が第１傾斜部９１と接した状態でチルド室蓋１６を正面側へ引き出そうとした場合は、チルド室蓋１６が奥に向かう方向（チルド室蓋１６を背面側に引き込む方向）にバネ部９０の力を働かせることができる。このため、格納状態のチルド室蓋１６（保持部９３で保持されたチルド室蓋１６）を動かすときは、チルド室蓋１６を背面側に引き込む力を超えてチルド室蓋１６を引き出す必要がある。その結果、チルド室蓋１６を一旦格納状態とすれば、チルド室蓋１６は押し込まれた状態（格納状態）で安定させることができる。このように、チルド室蓋１６のぐらつきやチルド室蓋１６とパッキン１６ｐとの間の隙間を抑制した状態で位置決めができれば、その後のチルド室１３の減圧を確実に行うことができる。チルド室１３の減圧が完了すると、チルド室蓋１６が背面側へ吸い寄せられて、密閉性が確保される。   
また、各バネ部９０は、第１傾斜部９１よりもチルド室蓋１６の背面側（後側）に、第２傾斜部９２を有する。この第２傾斜部９２は、チルド室蓋１６が押し込まれたとき、第１傾斜部９１よりも先に、突起部１１０と最初と接する。この第２傾斜部９２は、側方からみて、チルド室蓋１６（チルド室１３）の正面側ほど、向かい合うバネ部９０の第２傾斜部９２の間隔が徐々に狭くなるように傾斜している。
【００４６】
このような第２傾斜部９２を有することで、突起部１１０がバネ部９０の先端に当たったときの衝撃を緩和できる。特に、各突起部１１０の形状が円筒形状であり、第２傾斜部９２も曲面状であるため、各突起部１１０と第２傾斜部９２とが接しながら、滑らかにチルド室蓋１６を後方へ押し込むことが可能である。従って、チルド室蓋１６を収納するとき（押し戻すとき）、各バネ部９０に突起部１１０が衝突して、突起部１１０が折れたり、突起部１１０の根元に亀裂が入ったりするのを防ぐことができる。
【００４７】
なお、第１傾斜部９１の表面も、円筒形状の突起部１１０と滑らかに接することができるよう、曲面状とするのが望ましい。したがって、これらの第１傾斜部９１や第２傾斜部９２によって、滑らかにチルド室蓋１６を出し入れすることができる。
【００４８】
このように、本実施形態によれば、チルド室蓋１６を水平方向の背面側へ押し込むことで、突起部１１０と保持部９３とが互いに係合し、外郭部材１４に対してチルド室蓋１６を保持することができる。また、チルド室１３を減圧すれば、チルド室蓋１６が背面側へ吸い寄せられて、密閉度がさらに向上する。ここで、本実施形態のチルド室１３は、前後方向より左右方向が長いので、外郭部材１４の左右両側面は、食材の荷重や減圧による変形が起き難い。このため、外郭部材１４の左右両側部に係合部を設けることで、摺動性や密閉性の低下を抑えて安定的なロック機構を実現できる。特に、外郭部材１４の外側に係合部を設けることで、変形によるロックへの影響を極力小さくできる。また、外郭部材１４の左右両側部に係合部を設けることで、なるべく前方にロック機構を位置させることが可能となり、組み立て精度が良くなる。なお、左右両側部のうち一方だけに係合部を設けても一定程度の効果はあるが、左右両側に設けるのが好ましい。
【符号の説明】
【００４９】
１      冷蔵庫
２      冷蔵室（貯蔵室）
３      冷凍室
６      冷蔵室扉
７      製氷室
８      急速冷凍室
９      冷凍室
１０    野菜室
１１    外箱
１３    チルド室
１４    外郭部材（収納部）
１４ｅ１  開口部
１６    チルド室蓋（蓋）
１６ａ  差圧抜き孔（貫通孔）
１６ａ１  テーパ
１６ｐ  パッキン（シール部材）
１６ｐ３  ガス抜き溝（ガス抜き部）
１６ｐｈ  大ヒレ部
１６ｓ  支軸（ロック機構）
１６ｕ  溝
２６    開閉ハンドル
９０    バネ部
９１    第１傾斜部
９２    第２傾斜部
９３    保持部（第２係合部）
１１０  突起部（第１係合部）
【図１】
2018204875.tif 000003
【図２】
2018204875.tif 000004
【図３】
2018204875.tif 000005
【図４】
2018204875.tif 000006
【図５】
2018204875.tif 000007
【図６】
2018204875.tif 000008
【図７】
2018204875.tif 000009
【図８】
2018204875.tif 000010
【図９】
2018204875.tif 000011
【図１０】
2018204875.tif 000012